【手続補正書】
【提出日】平成17年7月28日(2005.7.28)
【手続補正１】
【補正対象書類名】明細書
【補正対象項目名】発明の名称
【補正方法】変更
【補正の内容】
【発明の名称】電子回路、電子装置、及び電子機器
【手続補正２】
【補正対象書類名】明細書
【補正対象項目名】特許請求の範囲
【補正方法】変更
【補正の内容】
【特許請求の範囲】
【請求項１】
被駆動素子を駆動するための電子回路であって、
前記被駆動素子への電流量を制御する駆動トランジスタと、
前記駆動トランジスタのゲートに接続された容量素子と、
前記ゲートに直接接続され、ダイオード接続された補償トランジスタとを含み、
前記補償トランジスタを通過する、データ信号として供給されるデータ電流に応じて前記駆動トランジスタの導通状態が設定される
ことを特徴とする電子回路。
【請求項２】
請求項１に記載の電子回路において、
さらに、前記補償トランジスタと、ソースまたはドレインのいずれか一方を介して直列に接続された第１のスイッチングトランジスタとを含み、
前記第１のスイッチングトランジスタのソースまたはドレインの他方は、信号線に接続され、前記第１のスイッチングトランジスタを介して前記信号線と前記補償トランジスタとが電気的に接続された時に前記データ電流が前記補償トランジスタを通過する
ことを特徴とする電子回路。
【請求項３】
被駆動素子を駆動する電子回路であって、
前記被駆動素子への電流量を制御する駆動トランジスタと、
前記駆動トランジスタのゲートに接続された容量素子と、前記駆動トランジスタのゲートに接続された第１のスイッチングトランジスタと、
前記第１のスイッチングトランジスタのゲートに接続された第１の信号線と、
前記第１のスイッチングトランジスタのソースまたはドレインのいずれか一方に接続された第２の信号線と、
電源電圧が印加された電源線とを備えた電子回路であって、
前記電源線と前記第１のスイッチングトランジスタのソースまたはドレインのいずれか他方との間にて直列に接続された補償トランジスタ及び第２のスイッチングトランジスタを有し、
前記補償トランジスタはダイオード接続され、
前記第２のスイッチングトランジスタのゲートは前記第１の信号線とは異なる第３の信号線に接続されている
ことを特徴とする電子回路。
【請求項４】
請求項３に記載の電子回路において、
前記第１のスイッチングトランジスタ及び前記第２のスイッチングトランジスタが共にオン状態となる期間が設けられている
ことを特徴とする電子回路。
【請求項５】
被駆動素子を駆動するための電子回路であって、
前記被駆動素子への電流量を制御する駆動トランジスタと、
前記駆動トランジスタのゲートに接続された容量素子と、
前記駆動トランジスタのゲートに接続された第１のスイッチングトランジスタと、
前記第１のスイッチングトランジスタのゲートに接続された第１の信号線と、
前記第１のスイッチングトランジスタのソースまたはドレインのいずれか一方に接続された第２の信号線と、
電源電圧が印加された電源線とを備えた電子回路であって、
前記電源線と前記第１のスイッチングトランジスタのソースまたはドレインのいずれか他方との間にて直列に接続された補償トランジスタ及び第２のスイッチングトランジスタを有し、
前記補償トランジスタはダイオード接続され、
前記第２のスイッチングトランジスタのゲートは前記第１の信号線に接続されていることを特徴とする電子回路。
【請求項６】
請求項３または５に記載の電子回路において、
前記第２の信号線はデータ信号として電流を供給することを特徴とする電子回路。
【請求項７】
請求項６に記載の電子回路において、
前記補償トランジスタに流れる電流量に応じた電荷が前記容量素子に蓄電されることを特徴とする電子回路。
【請求項８】
前記駆動トランジスタと前記補償トランジスタとにおいてゲート電圧に対するソース・ドレイン間の電流特性が略同一であることを特徴とする請求項１乃至７のいずれかに記載の電子回路。
【請求項９】
前記補償トランジスタに流れる電流量は、前記駆動トランジスタによって制御された電流量よりも大きいことを特徴とする請求項１乃至７のいずれかに記載の電子回路。
【請求項１０】
請求項１乃至９のいずれかに記載の電子回路において、前記被駆動素子が有機エレクトロルミネッセンス素子であることを特徴とする電子回路。
【請求項１１】
請求項３乃至１０のいずれかに記載の電子回路において、前記駆動トランジスタ、前記第１及び第２のスイッチングトランジスタ、前記補償トランジスタは、それぞれ薄膜トランジスタであることを特徴とする電子回路。
【請求項１２】
請求項１乃至１１のいずれかに記載の電子回路において、前記駆動トランジスタはｐチャネル型であることを特徴とする電子回路。
【請求項１３】
第１の走査線に供給される走査信号に応じてオンまたはオフするとともに、ソースまたはドレインのいずれか一方がデータ線に接続された第１のスイッチングトランジスタと、
電源電圧が印加される電源線と前記第１のスイッチングトランジスタのソースまたはドレインのいずれか他方との間にて直列に接続された補償トランジスタ及び第２のスイッチングトランジスタであって、ダイオードとして機能する補償トランジスタと、
前記第１の走査線とは異なる第２の走査線に供給される走査信号に応じてオンまたはオフする第２のスイッチングトランジスタと、ゲートが前記第１のスイッチングトランジスタのソースまたはドレインのいずれか他方に接続されて、被駆動素子を駆動する駆動トランジスタと、
前記駆動トランジスタのゲート電圧を保持する容量素子と
を具備することを特徴とする電子回路。
【請求項１４】
第１の走査線に供給される走査信号に応じてオンまたはオフするとともに、ソースまたはドレインのいずれか一方がデータ線に接続された第１のスイッチングトランジスタと、
電源電圧が印加される電源線と前記第１のスイッチングトランジスタのソースまたはドレインのいずれか他方との間にて直列に接続された補償トランジスタ及び第２のスイッチングトランジスタであって、ダイオードとして機能する補償トランジスタと、
前記第１の走査線に供給される走査信号に応じてオンまたはオフする第２のスイッチングトランジスタと、ゲートが前記第１のスイッチングトランジスタのソースまたはドレインのいずれか他方に接続されて、被駆動素子を駆動する駆動トランジスタと、
前記駆動トランジスタのゲート電圧を保持する容量素子と
を具備することを特徴とする電子回路。
【請求項１５】
走査線に供給される走査信号に応じてオンまたはオフするとともに、ソースまたはドレインのいずれか一方がデータ線に接続されたスイッチングトランジスタと、
前記スイッチングトランジスタがオンする期間の少なくとも一部または全部の期間にて第１の電源電圧が印加される第１の電源線と前記スイッチングトランジスタのソースまたはドレインのいずれか他方との間にてダイオードとして機能する補償トランジスタと、
ゲートが前記スイッチングトランジスタのソースまたはドレインの他方に接続されるとともに、自己のソースまたはドレインの一方が第２の電源電圧が印加された第２の電源線に接続されて、被駆動素子を駆動する駆動トランジスタと、
前記駆動トランジスタのゲート電圧を保持する容量素子と
を具備することを特徴とする電子回路。
【請求項１６】
走査信号が供給される走査線にゲートが接続されるとともに、ソースまたはドレインのいずれか一方がデータ線に接続されたスイッチングトランジスタと、
ソースまたはドレインにゲートが接続された補償トランジスタであって、前記走査信号に応じて前記スイッチングトランジスタがオンする期間の少なくとも一部または全部の期間にて第１の電源電圧が印加される第１の電源線にソースまたはドレインのいずれか一方が接続され、前記スイッチングトランジスタのソースまたはドレインのいずれか他方に、自己のソースまたはドレインのいずれか他方が接続された補償トランジスタと、
ゲートが前記スイッチングトランジスタのソースまたはドレインの他方に接続されるとともに、自己のソースまたはドレインの一方が第２の電源電圧が印加された第２の電源線に接続されて、被駆動素子を駆動する駆動トランジスタと、
前記駆動トランジスタのゲートに一端が接続された容量素子と
を具備することを特徴とする電子回路。
【請求項１７】
前記第１の電源電圧と前記第２の電源電圧とは略等しいことを特徴とする請求項１５または１６に記載の電子回路。
【請求項１８】
請求項１乃至１７のいずれかに記載の電子回路を少なくとも一つ備えたことを特徴とする電子装置。
【請求項１９】
請求項１乃至１７のいずれかに記載の電子回路を画素回路として備えた電気光学装置を実装したことを特徴とする電子機器。
【手続補正３】
【補正対象書類名】明細書
【補正対象項目名】０００８
【補正方法】変更
【補正の内容】
【０００８】  
【課題を解決するための手段】  
本発明の電子回路は、被駆動素子を駆動するたまめの電子回路であって、前記被駆動素子への電流量を制御する駆動トランジスタと、前記駆動トランジスタのゲートに接続された容量素子と、前記ゲートに直接接続され、ダイオード接続された補償トランジスタとを含み、前記補償トランジスタを通過する、データ信号として供給されるデータ電流に応じて前記駆動トランジスタの導通状態が設定されることを特徴とする。
この構成によれば、例えば、補償トランジスタが駆動トランジスタのゲートに直接接続されているので、これら２つのトランジスタは互いに近接して設けられる結果、その２つのトランジスタの特性を揃えること、または特性比を調整することが容易となる。また、補償トランジスタを通過するデータ電流が、駆動トランジスタによって制御される電流量に直接反映される。ここで、前記補償トランジスタと、ソースまたはドレインのいずれか一方を介して直列に接続された第１のスイッチングトランジスタとを含み、前記第１のスイッチングトランジスタのソースまたはドレインの他方は、信号線に接続され、前記第１のスイッチングトランジスタを介して前記信号線と前記補償トランジスタとが電気的に接続された時に前記データ電流が前記補償トランジスタを通過する構成が好ましい。
【手続補正４】
【補正対象書類名】明細書
【補正対象項目名】０００９
【補正方法】変更
【補正の内容】
【０００９】
本発明の他の電子回路は、被駆動素子を駆動するための電子回路であって、前記被駆動素子への電流量を制御する駆動トランジスタと、前記駆動トランジスタのゲートに接続された容量素子と、前記駆動トランジスタのゲートに接続された第１のスイッチングトランジスタと、前記第１のスイッチングトランジスタのゲートに接続された第１の信号線と、前記第１のスイッチングトランジスタのソースまたはドレインのいずれか一方に接続された第２の信号線と、電源電圧が印加された電源線とを備えた電子回路であって、前記電源線と前記第１のスイッチングトランジスタのソースまたはドレインのいずれか他方との間にて直列に接続された補償トランジスタ及び第２のスイッチングトランジスタを有し、前記補償トランジスタはダイオード接続され、前記第２のスイッチングトランジスタのゲートは前記第１の信号線とは異なる第３の信号線に接続されている構成を特徴とする。また、本発明は、電流駆動される被駆動素子と、前記被駆動素子への電流量を制御する駆動トランジスタと、前記駆動トランジスタのゲートに接続された容量素子と、前記駆動トランジスタのゲートに接続された第１のスイッチングトランジスタと、前記第１のスイッチングトランジスタのゲートに接続された第１の信号線と、前記第１のスイッチングトランジスタのソースまたはドレインのいずれか一方に接続された第２の信号線と、電源電圧が印加された電源線とを備えた電子回路であって、前記電源線と前記第１のスイッチングトランジスタのソースまたはドレインのいずれか他方との間にて直列に接続された補償トランジスタ及び第２のスイッチングトランジスタを有し、前記補償トランジスタはダイオード接続され、前記第２のスイッチングトランジスタのゲートは前記第１の信号線に接続されている構成を特徴とする。いずれの構成においても、駆動トランジスタのバラツキを補償することが可能となる。ここで、前者と後者とを比較すると、後者に係る構成の方では、第１及び第２のスイッチングトランジスタのゲートが同一の第１の信号線に接続されるので、第３の信号線が不要となり、配線数を削減することが可能となる。なお、ダイオード接続されたトランジスタとは、そのソースまたはドレインのいずれか一方が、ゲートに接続された状態にあるトランジスタをいう。また、前者に係る構成において、前記第１のスイッチングトランジスタ及び前記第２のスイッチングトランジスタが共にオン状態となる期間が設けられている構成が好ましい。
ここで、前者および後者に係る構成において、前記第２の信号線は、データ信号として電流を供給するデータ線である構成が好ましい。
また、前記補償トランジスタに流れる電流量に応じた電荷が前記容量素子に蓄電される構成でも良い。
前記駆動トランジスタと前記補償トランジスタとにおいてゲート電圧に対するソース・ドレイン間の電流特性が略同一であることも好ましいが、前記補償トランジスタに流れる電流量は、前記駆動トランジスタによって制御された電流量よりも大きい構成であっても良い。
さらに、前記被駆動素子が有機エレクトロルミネッセンス素子であることが望ましい。
また、前記駆動トランジスタ、前記第１及び第２のスイッチングトランジスタ、前記補償トランジスタは、それぞれ薄膜トランジスタであることが好ましいが、前記駆動トランジスタについては、経年変化の少ないｐチャネル型であることが望ましい。
【手続補正５】
【補正対象書類名】明細書
【補正対象項目名】００１０
【補正方法】変更
【補正の内容】
【００１０】
本発明に係る他の電子回路は、第１の走査線に供給される走査信号に応じてオンまたはオフするとともに、ソースまたはドレインのいずれか一方がデータ線に接続された第１のスイッチングトランジスタと、電源電圧が印加される電源線と前記第１のスイッチングトランジスタのソースまたはドレインのいずれか他方との間にて直列に接続された補償トランジスタ及び第２のスイッチングトランジスタであって、ダイオードとして機能する補償トランジスタと、前記第１の走査線とは異なる第２の走査線に供給される走査信号に応じてオンまたはオフする第２のスイッチングトランジスタと、ゲートが前記第１のスイッチングトランジスタのソースまたはドレインのいずれか他方に接続されて、被駆動素子を駆動する駆動トランジスタと、前記駆動トランジスタのゲート電圧を保持する容量素子とを具備する構成を特徴とする。
また、本発明は、第１の走査線に供給される走査信号に応じてオンまたはオフするとともに、ソースまたはドレインのいずれか一方がデータ線に接続された第１のスイッチングトランジスタと、電源電圧が印加される電源線と前記第１のスイッチングトランジスタのソースまたはドレインのいずれか他方との間にて直列に接続された補償トランジスタ及び第２のスイッチングトランジスタであって、ダイオードとして機能する補償トランジスタと、前記第１の走査線に供給される走査信号に応じてオンまたはオフする第２のスイッチングトランジスタと、ゲートが前記第１のスイッチングトランジスタのソースまたはドレインのいずれか他方に接続されて、被駆動素子を駆動する駆動トランジスタと、前記駆動トランジスタのゲート電圧を保持する容量素子とを具備する構成を特徴とする。いずれの構成においても、駆動トランジスタのバラツキを補償することが可能となる。ここで、前者と後者とを比較すると、後者に係る構成の方では、第１及び第２のスイッチングトランジスタのゲートが同一の走査線に接続されるので、第２の走査線が不要となり、配線数を削減することが可能となる。
【手続補正６】
【補正対象書類名】明細書
【補正対象項目名】００１１
【補正方法】変更
【補正の内容】
【００１１】
本発明に係る他の電子回路は、走査線に供給される走査信号に応じてオンまたはオフするとともに、ソースまたはドレインのいずれか一方がデータ線に接続されたスイッチングトランジスタと、前記スイッチングトランジスタがオンする期間の少なくとも一部または全部の期間にて第１の電源電圧が印加される第１の電源線と前記スイッチングトランジスタのソースまたはドレインのいずれか他方との間にてダイオードとして機能する補償トランジスタと、ゲートが前記スイッチングトランジスタのソースまたはドレインの他方に接続されるとともに、自己のソースまたはドレインの一方が第２の電源電圧が印加された第２の電源線に接続されて、被駆動素子を駆動する駆動トランジスタと、前記駆動トランジスタのゲート電圧を保持する容量素子とを具備する構成を特徴とする。
また、本発明に係る他の電子回路は、走査信号が供給される走査線にゲートが接続されるとともに、ソースまたはドレインのいずれか一方がデータ線に接続されたスイッチングトランジスタと、ソースまたはドレインにゲートが接続された補償トランジスタであって、前記走査信号に応じて前記スイッチングトランジスタがオンする期間の少なくとも一部または全部の期間にて第１の電源電圧が印加される第１の電源線にソースまたはドレインのいずれか一方が接続され、前記スイッチングトランジスタのソースまたはドレインのいずれか他方に、自己のソースまたはドレインのいずれか他方が接続された補償トランジスタと、ゲートが前記スイッチングトランジスタのソースまたはドレインの他方に接続されるとともに、自己のソースまたはドレインの一方が第２の電源電圧が印加された第２の電源線に接続されて、被駆動素子を駆動する駆動トランジスタと、前記駆動トランジスタのゲートに一端が接続された容量素子とを具備する構成を特徴とする。いずれの構成においても、駆動トランジスタのバラツキを補償するとともに、トランジスタを１個減らすことが可能となる。
ここで、前記第１の電源電圧と前記第２の電源電圧とは略等しいことが望ましい。
また、上記電子回路を少なくとも１つ用いて、電気光学装置、記憶装置、センサー装置等の種々の電子装置を構成しても良い。例えば、上記単位回路を画素回路として用いれば電気光学装置を構成することが可能である。このような電気光学装置を電子機器に実装しても良い。